(57)【特許請求の範囲】
【請求項１】
被写体を透過した放射線を検出する放射線検出器を有する放射線撮影装置であって、
前記検出した放射線に基づく放射線画像を当該放射線画像が前記放射線撮影装置から転送された放射線画像か否かを識別可能に記憶する記憶手段と、
前記放射線撮影装置から転送されていない放射線画像が前記記憶手段に記憶されている場合には、報知部に対して報知を行うよう制御する報知制御手段と、
を有し、
前記報知制御手段は、撮影毎に放射線画像を前記放射線撮影装置から転送しない撮影モードが設定されている場合に、他の撮影モードに変更する動作に応じて前記報知部に対して報知を行うことを特徴とする放射線撮影装置。
【請求項２】
前記報知制御手段は、撮影の準備動作が行われる場合に、前記記憶手段に前記放射線撮像装置の外部の情報処理装置に転送されていない放射線画像が記憶されている場合には、報知部に対して報知を行うよう制御することを特徴とする請求項１に記載の放射線撮影装置。
【請求項３】
前記撮影の準備動作は、前記撮影毎に放射線画像を前記放射線撮影装置から転送しない撮影モードを含む複数の撮影モードのうちのいずれか１つの撮影モードを前記放射線撮影装置に対して設定するための動作を含み、
前記報知制御手段は、前記設定された１つの撮影モードで撮影された放射線画像が記憶されている場合に、前記設定された１つの撮影モードから他の撮影モードに変更する動作に応じて前記報知部に対して報知を行うことを特徴とする請求項２に記載の放射線撮影装置。
【請求項４】
前記報知制御手段は、前記他の撮影モードから前記撮影毎に放射線画像を転送しない撮影モードに変更する動作が実施される場合には報知を行わないことを特徴とする請求項３に記載の放射線撮影装置。
【請求項５】
被写体を透過した放射線を検出する放射線検出器を有する放射線撮影装置であって、
前記検出した放射線に基づく放射線画像を当該放射線画像が前記放射線撮影装置から転送された放射線画像か否かを識別可能に記憶する記憶手段と、
前記放射線撮影装置から転送されていない放射線画像が前記記憶手段に記憶されている場合には、報知部に対して報知を行うよう制御する報知制御手段と、
を有し、
前記報知制御手段は、撮影の準備動作が行われる場合に、前記放射線撮影装置から転送されていない放射線画像が前記記憶手段に記憶されている場合には、前記報知部に対して報知を行うよう制御し、
前記撮影の準備動作は、複数の撮影モードのうちのいずれか１つの撮影モードを前記放射線撮影装置に対して設定するための動作を含み、
前記報知制御手段は、前記設定された１つの撮影モードで撮影された放射線画像が記憶されている場合に、前記設定された１つの撮影モードから他の撮影モードに変更する動作に応じて前記報知部に対して報知を行うことを特徴とする放射線撮影装置。
【請求項６】
前記複数の撮影モードは、撮影毎に前記放射線撮影装置から放射線画像を転送しない撮影モードを少なくとも含み、
前記報知制御手段は、前記撮影毎に放射線画像を前記放射線撮影装置から転送しない撮影モードが設定されている場合に、他の撮影モードに変更する動作に応じて前記報知部に対して報知を行うことを特徴とする請求項５に記載の放射線撮影装置。
【請求項７】
前記報知制御手段は、前記他の撮影モードから前記撮影毎に放射線画像を転送しない撮影モードに変更する動作が実施される場合には報知を行わないことを特徴とする請求項６に記載の放射線撮影装置。
【請求項８】
前記撮影の準備動作は、前記放射線撮影装置に電力の供給を開始するための動作を含むことを特徴とする請求項２から７のいずれか１項に記載の放射線撮影装置。
【請求項９】
前記放射線撮影装置に電力の供給を開始するための動作は、前記放射線撮影装置が充電器に接続されたことを検知する動作を含み、
前記報知制御手段は、前記放射線撮影装置が充電器に接続されたことを示す検知信号に基づいて前記報知部に対して報知を行うことを特徴とする請求項８に記載の放射線撮影装置。
【請求項１０】
前記放射線撮影装置は、外部の情報処理装置と無線通信が可能であり、
前記撮影の準備動作は、前記放射線撮影装置と前記外部の情報処理装置との間の無線通信を確立するための動作を含むことを特徴とする請求項２から９のいずれか１項に記載の放射線撮影装置。
【請求項１１】
前記外部の情報処理装置との無線通信を確立するための動作は、無線通信を行うためのパラメータを前記外部の情報処理装置から受信する動作を含むことを特徴とする請求項１０に記載の放射線撮影装置。
【請求項１２】
前記放射線撮影装置から転送されていない放射線画像の枚数を識別可能に表示する表示制御手段を有することを特徴とする請求項１から１１のいずれか１項に記載の放射線撮影装置。
【請求項１３】
前記放射線撮影装置は、前記報知部を更に有し、
前記報知部は、前記記憶手段に放射線画像が記憶されているか否かを識別可能な態様で表示することを特徴とする請求項１から１２のいずれか１項に記載の放射線撮影装置。
【請求項１４】
前記放射線撮影装置は、前記報知部を更に有し、
前記報知部は、前記記憶手段に放射線画像が記憶されているか否かを識別可能な音を発することを特徴とする請求項１から１２のいずれか１項に記載の放射線撮影装置。
【請求項１５】
被写体を透過した放射線を検出する放射線検出器を有する放射線撮影装置を備える放射線撮影システムであって、
前記放射線撮影装置は、前記検出した放射線に基づく放射線画像を当該放射線画像が前記放射線撮影装置から転送された放射線画像か否かを識別可能に記憶する記憶手段を有し、
前記放射線撮影システムは、前記放射線撮影装置から転送されていない放射線画像が前記記憶手段に記憶されている場合には、報知部に対して報知を行うよう制御する報知制御手段を有し、
前記報知制御手段は、撮影毎に放射線画像を前記放射線撮影装置から転送しない撮影モードが設定されている場合に、他の撮影モードに変更する動作に応じて前記報知部に対して報知を行うことを特徴とする放射線撮影システム。
【請求項１６】
被写体を透過した放射線を検出する放射線検出器を有する放射線撮影装置を備える放射線撮影システムであって、
前記放射線撮影装置は、前記検出した放射線に基づく放射線画像を当該放射線画像が前記放射線撮影装置から転送された放射線画像か否かを識別可能に記憶する記憶手段を有し、
前記放射線撮影システムは、前記放射線撮影装置から転送されていない放射線画像が前記記憶手段に記憶されている場合には、報知部に対して報知を行うよう制御する報知制御手段を有し、
前記報知制御手段は、撮影の準備動作が行われる場合に、前記記憶手段に前記放射線撮影装置から転送されていない放射線画像が記憶されている場合には、前記報知部に対して報知を行うよう制御し、
前記撮影の準備動作は、複数の撮影モードのうちのいずれか１つの撮影モードを前記放射線撮影装置に対して設定するための動作を含み、
前記報知制御手段は、前記設定された１つの撮影モードで撮影された放射線画像が記憶されている場合に、前記設定された１つの撮影モードから他の撮影モードに変更する動作に応じて前記報知部に対して報知を行うことを特徴とする放射線撮影システム。
【請求項１７】
放射線撮影装置の制御方法であって、
前記放射線撮影装置は、被写体を透過した放射線を検出する放射線検出器と、前記検出した放射線に基づく放射線画像を当該放射線画像が前記放射線撮影装置から転送された放射線画像か否かを識別可能に記憶する記憶手段と、を有し、
前記制御方法は、前記放射線撮影装置から転送されていない放射線画像が前記記憶手段に記憶されている場合には、報知部に対して報知を行う工程を有し、
前記報知を行う工程は、撮影毎に放射線画像を前記放射線撮影装置から転送しない撮影モードが設定されている場合に、他の撮影モードに変更する動作に応じて前記報知部に対して報知を行うことを特徴とする制御方法。
【請求項１８】
放射線撮影装置の制御方法であって、
前記放射線撮影装置は、被写体を透過した放射線を検出する放射線検出器と、前記検出した放射線に基づく放射線画像を当該放射線画像が前記放射線撮影装置から転送された放射線画像か否かを識別可能に記憶する記憶手段と、を有し、
前記制御方法は、前記放射線撮影装置から転送されていない放射線画像が前記記憶手段に記憶されている場合には、報知部に対して報知を行う工程を有し、
前記報知を行う工程は、撮影の準備動作が行われる場合に、前記放射線撮影装置から転送されていない放射線画像が前記記憶手段に記憶されている場合には、前記報知部に対して報知を行い、
前記撮影の準備動作は、複数の撮影モードのうちのいずれか１つの撮影モードを前記放射線撮影装置に対して設定するための動作を含み、
前記報知を行う工程は、前記設定された１つの撮影モードで撮影された放射線画像が記憶されている場合に、前記設定された１つの撮影モードから他の撮影モードに変更する動作に応じて前記報知部に対して報知を行うことを特徴とする制御方法。
【発明の詳細な説明】
【技術分野】
【０００１】
本発明は、放射線撮影装置、放射線撮影システム、および放射線撮影装置の制御方法に関する。
【背景技術】
【０００２】
近年、放射線による医療画像診断や非破壊検査に用いる撮影装置として、半導体材料によって形成された平面検出器を用いた放射線撮影装置が実用化されている。このような放射線撮影装置は、例えば放射線画像診断において、一般撮影のような静止画撮影や、透視撮影のような動画撮影のデジタル放射線撮影装置として用いられている。また、当該放射線撮影装置が用いられる放射線撮影システムにおいて、ユーザは撮影された画像を情報処理装置に転送し、表示させ画像診断を行っている。
【０００３】
特許文献１には、放射線撮影装置で撮影された放射線画像を記憶部で記憶し、当該記憶した放射線画像を外部の情報処理装置に対して転送可能な放射線撮影装置が開示されている。
【先行技術文献】
【特許文献】
【０００４】
【特許文献１】特開２０１０−１９０９１１号公報
【発明の概要】
【発明が解決しようとする課題】
【０００５】
しかしながら、特許文献１に記載の放射線撮影装置は、ユーザが情報処理装置へ放射線画像を転送する意思があったにも関わらず、撮影した放射線画像の転送をし忘れてしまう場合があった。この場合において、ユーザが新たな撮影を行うと、転送し忘れた放射線画像と新たに撮影された放射線画像が記憶部内で混在するおそれがある。そのため、複数の撮影画像の判別が煩雑になり、ユーザが、画像診断が迅速に行えない、あるいは再度撮影を行わなければならないおそれがあった。
【０００６】
そこで、本発明は、上記課題を鑑みてなされたものであり、放射線画像を記憶する記憶部を有する放射線撮影装置において、複数の放射線画像が混在しても識別を容易にするために有利な技術を提供することを目的とする。
【課題を解決するための手段】
【０００７】
本発明の放射線撮影装置は、被写体を透過した放射線を検出する放射線検出器と、前記検出した放射線に基づく放射線画像を当該放射線画像が前記放射線撮影装置から転送された放射線画像か否かを識別可能に記憶する記憶手段と、を有する放射線撮影装置であって、前記放射線撮影装置から転送されていない放射線画像が前記記憶手段に記憶されている場合には、報知部に対して報知を行うよう制御する報知制御手段を有する。前記報知制御手段は、撮影毎に放射線画像を前記放射線撮影装置から転送しない撮影モードが設定されている場合に、他の撮影モードに変更する動作に応じて前記報知部に対して報知を行う。また、前記報知制御手段は、撮影の準備動作が行われる場合に、前記放射線撮影装置から転送されていない放射線画像が前記記憶手段に記憶されている場合には、前記報知部に対して報知を行うよう制御し、前記撮影の準備動作は、複数の撮影モードのうちのいずれか１つの撮影モードを前記放射線撮影装置に対して設定するための動作を含み、前記報知制御手段は、前記設定された１つの撮影モードで撮影された放射線画像が記憶されている場合に、前記設定された１つの撮影モードから他の撮影モードに変更する動作に応じて前記報知部に対して報知を行う。
【発明の効果】
【０００８】
本発明の放射線撮影装置によれば、放射線画像を記憶する記憶部を有する放射線撮影装置において、複数の放射線画像が混在しても識別を容易にするために有利な技術を提供することを目的とする。
【図面の簡単な説明】
【０００９】
【図１】第一の実施形態における放射線撮影システムを示す図
【図２】第一の実施形態における放射線撮影装置の構成を示す図
【図３】第一の実施形態における放射線撮影装置の構成を示す図
【図４】第一の実施形態における報知部の例を示す図
【図５】第一の実施形態における撮影準備動作と報知の関係を示すフローチャート
【図６】第二の実施形態における放射線撮影システムを示す図
【発明を実施するための形態】
【００１０】
（第一の実施形態）
第一の実施形態について図１〜図５に基づいて詳細に説明する。
【００１１】
まず、図１を参照して、本実施形態に係る放射線撮影システム１００の構成について説明する。図１は、第一の実施形態における放射線撮影システムを示す図である。放射線撮影システム１００は、放射線撮影装置１０１と、情報処理装置１０２と、放射線発生放置１０６とを有する。放射線撮影システム１００は、これらの装置を接続するため、アクセスポイント１０３、ＨＵＢ１０４、放射線インターフェース（以下、放射線Ｉ／Ｆと略す）１０５を有している。更に、放射線撮影システム１００は、充電装置１０９（クレードル）を有して構成されていてもよい。
【００１２】
図１に示す放射線撮影システム１００において、放射線発生装置１０６から照射された放射線１０７は、被写体Ｈを透過し放射線撮影装置１０１に到達する。放射線撮影装置１０１は、到達した放射線１０７を検出して放射線画像を生成する。生成された放射線画像は、情報処理装置１０２に転送され表示部１１０に表示される。
【００１３】
放射線撮影装置１０１は、被写体Ｈを透過した放射線１０７に基づき放射線画像を撮影する装置である。この放射線撮影装置１０１は、例えば可搬型放射線撮影装置で構成されている。具体的な構成については、図２において後述する。
【００１４】
情報処理装置１０２は、放射線撮影システム１００全体を統括制御する機能を有する。情報処理装置１０２は、放射線撮影装置１０１で撮影された放射線画像を、有線通信あるいは無線通信を介して取得し得る。情報処理装置１０２は、取得した放射線画像を表示部１１０に表示制御するための表示制御装置として機能する。そして、情報処理装置１０２は、操作部（不図示）を介して入力された情報に基づいて、放射線撮影装置１０１の撮影モードの設定のための制御などを行う。
【００１５】
アクセスポイント１０３は、放射線撮影装置１０１と情報処理装置１０２などの装置間を無線通信によって接続する電波中継器である。なお、アクセスポイント１０３は、放射線撮影装置１０１の内部に配置されていてもよい。
【００１６】
ＨＵＢ１０４は、複数の装置と接続され装置間の有線での通信を中継する中継装置である。
【００１７】
放射線インターフェース（放射線Ｉ／Ｆ）１０５は、放射線発生装置１０６とその他の装置との通信を媒介する回路を有し、放射線撮影装置１０１と放射線発生装置１０６の状態を監視する。
【００１８】
放射線発生装置１０６は、例えば、Ｘ線等の放射線１０７を発生させるために、電子を高電圧で加速して陽極に衝突させる放射線管とロータを有して構成されている。放射線１０７は、α線、β線、γ線、Ｘ線のいずれかを含みうるものである。院内ＬＡＮ１０８は、病院内に構築されたローカル・エリア・ネットワークである。放射線撮影システム１００は、院内ＬＡＮ１０８を介して、他のネットワーク機器と有線あるいは無線通信により接続されている。
【００１９】
充電装置１０９は、放射線撮影装置１０１を充電するための装置である。充電装置１０９は、放射線撮影装置１０１を次の撮影に用いるための電力を充電するために用いられる。充電装置１０９は、例えば、クレードル等が好適に用いられ得る。
【００２０】
ここで、放射線撮影システム１００は、複数の撮影モードで撮影を実行可能である。ここで、複数の撮影モードは、第一の撮影モードと、第二の撮影モードと、第三の撮影モードとを少なくとも有する。放射線撮影装置１０１は、情報処理装置１０２での操作に基づいて当該複数の撮影モードのうち１つの撮影モードが設定されうる。
【００２１】
第一の撮影モード（同期撮影）は、放射線撮影装置１０１と放射線発生装置１０６との間で撮影タイミングを合わせるための電気的な同期信号などをやり取りする撮影モードである。撮影タイミングを合わせるとは、放射線の照射のタイミングと、放射線検出器が電荷を蓄積させる期間とを合わせることを示す。第二の撮影モード（非同期撮影）は、放射線撮影装置１０１と放射線発生装置１０６との間で、同期信号をやりとりせず、放射線撮影装置１０１自身が放射線の入射を検知し電荷の蓄積を開始する撮影モードである。第一の撮影モードおよび第二の撮影モードでは、撮影毎に放射線画像を情報処理装置１０２に転送する。第三の撮影モードは、撮影毎に放射線画像を情報処理装置１０２に転送せず、放射線撮影装置１０１内の記憶部１５に放射線画像を記憶する撮影モードである。つまり、第三の撮影モードは、撮影毎に放射線画像を情報処理装置に転送しない撮影モードであるとも換言できる。
【００２２】
ここで、複数の撮影モードにおける違いについて詳細に説明する。まず、第一の撮影モードである同期撮影について説明する。同期撮影において、放射線発生装置１０６は、放射線照射スイッチ（不図示）が押された場合に、当該押されたことを示す信号（押下信号）を放射線撮影装置１０１に対して送信する。該押下信号は、放射線Ｉ／Ｆ１０５、ＨＵＢ１０４、アクセスポイント１０３を経由して、放射線撮影装置１０１に到達し得る。放射線撮影装置１０１は、当該押下信号を受信して撮影準備ができたことを示す信号を放射線発生装置１０６に送信する。放射線発生装置１０６は、放射線撮影装置１０１からの信号を受け取ると放射線１０７を放射線撮影装置１０１に照射する。
【００２３】
次に、第二の撮影モードである非同期撮影について説明する。非同期撮影において、放射線Ｉ／Ｆ１０５を設けずに、放射線発生装置１０６から放射線１０７が照射されたことを放射線撮影装置１０１が検知し、放射線撮影装置１０１が電荷の蓄積を行い、蓄積した電荷に基づいて放射線画像を生成する。放射線撮影装置１０１は、非同期撮影において、撮影毎に放射線画像を情報処理装置１０２に転送してもよいし、撮影した画像を、撮影毎に転送せずに記憶部（図２における記憶部１５）に保存し、まとめて転送してもよい。
【００２４】
そして、第三の撮影モードであるメモリ撮影について説明する。メモリ撮影は、撮影毎に放射線画像を転送せず、放射線撮影装置１０１内の記憶部１５に放射線画像を記憶する撮影モードである。なお、メモリ撮影において、放射線撮影装置１０１は、放射線１０７の入射の検知を放射線撮影装置１０１自身で検知する。メモリ撮影においては、放射線撮影装置１０１は、放射線Ｉ／Ｆ１０５に加え、情報処理装置１０２、アクセスポイント１０３、ＨＵＢ１０４が存在しない構成で撮影を行うことが可能である。メモリ撮影では、放射線撮影装置１０１と情報処理装置１０２は、撮影毎に放射線画像や撮影プロトコルといった情報の通信は行わなくてもよく、放射線撮影装置１０１が単独で放射線画像を取得することができる。メモリ撮影において、放射線撮影装置１０１は、撮影毎に情報処理装置１０２と通信を行わず、且つ撮影された放射線画像を記憶部１５に記憶し、後でまとめて情報処理装置１０２に転送することで、効率よく撮影を行うことができる。
【００２５】
なお、当該撮影モードは、放射線撮影装置１０１が持つ操作部６への入力を受け付けることによって設定されるものであってもよい。
【００２６】
また、第一および第二の撮影モードが撮影毎に放射線画像が情報処理装置１０２に転送されることとしたがこの限りでない。放射線撮影装置１０１は、同期撮影においても、撮影毎に画像を転送せずに、記憶部１５に記憶することとしてもよい。
【００２７】
次に、図２を用いて、第一の実施形態における放射線撮影装置１０１の全体構成について説明する。図２は第一の実施形態における放射線撮影装置１０１の構成概略の一例を示す図である。
【００２８】
全体制御回路部１は、放射線撮影装置１０１の動作の全体を制御するものである。例えば、全体制御回路部１は、報知部１２の制御を行う制御部１３、撮影準備動作を検知する準備動作検知部１４を有する。
【００２９】
通信部２は、例えば、無線にて情報処理装置１０２及びＨＵＢ１０４を介して放射線Ｉ／Ｆ１０５との通信を行う。通信部２は、情報処理装置１０２及び放射線Ｉ／Ｆ１０５との通信を有線により行ってもよい。
【００３０】
電源制御回路部３は電源入力部１１（電源ボタン）の操作状況に応じて、バッテリ部４や外部電源５との接続によって、それぞれから各構成部への電力供給の制御や、電池残量の監視などを行う。例えば、電源制御回路部３は、バッテリ部４等からの電圧を所定の電圧に変圧し、各構成部へ供給する。
バッテリ部４は、バッテリを有する。バッテリは、充電装置１０９によって充電されうる。バッテリ部４は、バッテリに充電された所定の電圧を電源制御回路部３に供給する。バッテリ部４は、例えば、リチウムイオン電池、電気二重層コンデンサが用いられる。外部電源５は、外部の電源から所定の電圧を供給する。外部電源５は、図１に示す充電装置１０９（クレードル）であってもよい。
【００３１】
操作部６は、撮影を開始するための入力を受け付けるためにユーザが操作する操作デバイスである。ここで、操作には、各構成部への電力供給を開始するための操作や撮影モードを切り替えるための操作などを含む。準備動作検知部１４は、操作部６の操作を検知し、制御部１３に撮影準備動作が行われたことを通知する。操作部６は、例えば、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。
【００３２】
電源入力部１１は、放射線撮影装置１０１の各構成部へ電力供給の開始・停止の操作を外部から受け付ける機能を有する。電源入力部１１は、例えば、押しボタン式のスイッチ、切り替えスイッチ、タッチパネルが用いられうる。例えば、外部電源５がつながっていない場合、電源入力部１１を押すことでバッテリ部４からの電力の供給のオンまたはオフを切り替える。
【００３３】
ＡＤＣ７は、アナログデジタル変換回路である。ＡＤＣ７は、読出回路１６から送られてくるアナログ信号をデジタル信号に変換する。なお、ＡＤＣ７は、読出回路１６または、全体制御回路部１と一体として構成されていてもよい。
【００３４】
放射線検出部２０は、被写体Ｈを透過した放射線１０７を画像信号（電荷）として検出する。放射線検出部２０は、放射線１０７を直接あるいは間接的に画像信号（電荷）に変換し得る。
【００３５】
放射線検出部２０は、基板上に２次元マトリクス状に配列された複数の画素２００によって構成されている。複数の画素２００の各々は、スイッチ素子２０２と光電変換素子２０１から構成されている。光電変換素子２０１は、蛍光体（不図示）により変換された光を電荷に変換し、蓄積を行う。駆動回路１７は放射線検出部２０に駆動信号を与える駆動回路部を構成する。具体的に、駆動回路１７によって或る行の画素２００が駆動信号によって選択されると、当該或る行の画素２００のスイッチ素子２０２が順次ＯＮされる。そして、当該或る行の画素２００の光電変換素子２０１に蓄積されている電荷が各画素２００に接続されている信号線２０４に出力される。読出回路１６は信号線２０４に出力された電荷を順次読み出す。ＡＤＣ７は、読出回路１６によって読みだされたアナログ信号の画像信号を、デジタル信号の画像信号に変換し、これを放射線画像として全体制御回路部１に出力する。即ち、ＡＤＣ７は、読出回路１６によって読みだされたアナログ信号の画像信号をデジタルデータに変換する。全体制御回路１は、ＡＤＣ７から出力されたデジタルデータを放射線画像データとして記憶部１５に記憶する。
【００３６】
報知部１２（当該機能を有する機器、回路、プログラムによって記述される回路その他のものを含む）は、撮影の準備動作が行われる場合に、記憶部１５に放射線画像が記憶されている場合には、報知を行う。
【００３７】
例えば、報知部１２は、一例として、記憶部１５に放射線画像が記憶されているか否かを識別可能な態様で表示する表示機能を有している。この場合、報知部１２は、点滅のさせ方の違い、色の変化により報知するＬＥＤであり得る。
【００３８】
また、報知部１２は、一例として、記憶部１５に放射線画像が記憶されているか否かを識別可能な音を発する機能を有していてもよい。報知部１２は、スピーカなどの音波を発するものであり得る。また、報知部１２は、一例として、振動により記憶部１５に放射線画像が記憶されているか否かを識別可能に振動する機能を有していてもよい。また、報知部１２は、表示機能、音を発する機能、振動する機能のうち複数の機能を有していてもよい。報知部１２は、上記いずれかの報知により、放射線撮影装置１０１に保存された未転送画像の有無をユーザに認識させることができる。なお、報知部１２における具体的な形態については図４を用いて後述する。
【００３９】
ここで、未転送画像とは、撮影された放射線画像のうち記憶部１５に記憶され、且つ情報処理装置１０２に転送されていない画像を示す。また、未転送とは、放射線撮影装置１０１が、情報処理装置１０２に対して転送する処理を一度も行っていない放射線画像に限られるものではない。例えば、放射線撮影装置１０１が、情報処理装置に対して転送する処理を行ったものの、途中で転送を中止し、放射線画像中の一部のデータのみが転送された放射線画像も含み得る。
【００４０】
カウンタ３１は、記憶部１５に記憶された放射線画像（未転送画像）の枚数を示す情報を表示する。カウンタ３１は、記憶部１５に記憶された放射線画像（未転送画像）の枚数を示す情報を表示する。例えば、カウンタ３１は、ディスプレイに未転送画像の枚数を示す数を表示する。カウンタ３１は、未転送画像の枚数をカウンタ３１に表示された数字とは異なる箇所の以外（例えば背景）の色、や点灯の違いによって識別できるように報知を行ってもよい。例えば、制御部１３は、記憶部１５に未転送画像がある場合は未転送画像数を表示し、未転送画像がない場合はカウンタを消灯してもよい。制御部１３は、未転送画像の枚数（情報量）が、記憶部１５の記憶容量の上限値あるいは、上限との距離が閾値以上の値になった場合に、カウンタ３１に表示された数字の色を変更するか、点滅させて表示してもよい。
【００４１】
制御部１３は、撮影の準備動作を検知する撮影準備動作検知部１４と記憶部１５で記憶された未転送画像の有無を示す情報に基づいて、報知部１２への報知制御を行う。また、制御部１３は、記憶部１５に保存された未転送画像の数を数えてその枚数をカウンタ３１に表示させるように制御してもよい。本実施形態において、制御部１３は、報知を制御する報知制御部として機能する。制御部１３は、当該機能を有する機器、回路、プログラムによって記述される回路が用いられ、例えば、ＣＰＵなどの中央演算処理装置である。
【００４２】
撮影準備動作検知部１４（当該機能を有する機器、回路、プログラムによって記述される回路その他のものを含む）は、撮影の準備動作が行われたことを検知する機能を持つ。ここで、撮影の準備動作とは、放射線撮影装置１０１における放射線画像の撮影に先立って行う準備動作を示す。撮影の準備動作は、一例として、放射線撮影装置１０１に電力の供給を開始するための動作を含む。放射線撮影装置に電力の供給を開始するための動作は、放射線撮影装置１０１が充電器１０９に接続（着脱、収容、設置等）されたことを検知する動作を含む。具体的には、放射線撮影装置１０１が充電器１０９に接続されたことを示す検知信号を制御部１３が取得する。
【００４３】
撮影の準備動作は、情報処理装置１０２との通信を確立するための動作を含む。情報処理装置１０２との通信を確立するための動作とは、放射線撮影装置１０１が、無線通信のためのパラメータを受信した場合、または、通信を確立するための動作を情報処理装置に要求し、当該要求に対してレスポンスを受信する動作を含む。ここで、一例として、放射線撮影装置１０１と情報処理装置１０２の通信方式に無線ＬＡＮ技術を採用した場合について説明する。この場合、装置間の無線接続を確立するために、ＳＳＩＤ、認証方式、暗号化種類、暗号鍵等を同一の設定となるようにする。これらの情報の授受は、例えば、放射線撮影装置１０１と情報処理装置１０２との有線による接続、充電装置１０９を介した接続、赤外線通信、あるいは近接無線通信等の通信によって行われる。
【００４４】
また、撮影の準備動作は、放射線撮影装置１０１の撮影モードを複数の撮影モードの間で変更する動作を含みうる。ただし、撮影の準備動作は、撮影をするための準備動作であれば、上述の内容に限られるものではない。
【００４５】
このように撮影準備動作を撮影準備検知部１４が検知し、制御部１３が、記憶部１５に記憶された未転送画像の有無に基づいて報知部１２を報知させるように制御している。このため、ユーザが撮影を開始する前に撮影画像を情報処理装置に送信することを促すことが可能となる。このため、放射線撮影装置１０１は、放射線画像の転送忘れを防止することが可能となる。
【００４６】
記憶部１５（当該機能を有する機器、回路、プログラムによって記述される回路その他のものを含む）は、撮影した放射線画像を記憶する。
【００４７】
記憶部１５は、放射線画像が情報処理装置に転送された放射線画像か否かを判別可能に記憶している。すなわち、記憶部１５は、放射線画像が未転送画像であるか否かを判別可能な情報を対応づけて記憶している。
【００４８】
また、記憶部１５は、撮影された放射線画像と当該撮影に関する情報を関連づけて記憶してもよい。記憶部１５は、上述した第三の撮影モードで撮影する場合には、撮影毎に放射線画像を情報処理装置１０２に転送せずに記憶する。また、記憶部１５は、上述した第一および第二の撮影モードで撮影された放射線画像を記憶してもよい。
【００４９】
ここで、撮影に関する情報とは、技師毎に割り当てられたＩＤである技師のＩＤ、患者に割り当てられたＩＤである患者ＩＤを含みうる。さらに、撮影に関する情報には、撮影した時刻である撮影時間、撮影装置に到達した線量である到達線量、部位名称を含んでいてもよい。また、撮影に関する情報とは、撮影した枚数をインクリメントした撮影枚数（カウンタ）、放射線画像の転送履歴などを記憶部１５に記憶してもよい。記憶部１５に記憶した情報は、制御部１３が放射線画像の有無の情報とともに報知部１２に表示（出力）してもよい。
【００５０】
記憶部１５は、読み書きが行える機器であり、例えば、フラッシュメモリなどの不揮発性メモリが好適に用いられ得る。記憶部１５は、ＳＤカードなどのように、放射線撮影装置１０１に着脱可能な構成であってもよい。この場合、記憶部１５は、情報処理装置１０２等に装着され、放射線画像および撮影に関する情報を転送することができる。
【００５１】
次に、図３を用いて、第一の実施形態における放射線撮影装置１０１における各部の配置の例について説明する。図３は、第一の実施形態における放射線撮影装置１０１の構成の一例を示す図である。放射線撮影装置１０１において、操作部１１、報知部１２、制御部１３、撮影準備動作検知部１４、記憶部１５、読出回路１６、駆動回路１７は、撮影が行われる際に、放射線が照射されない位置に配置されている。
【００５２】
図３において、操作部６、電源入力部１１、報知部１２は、放射線撮影装置１０１の側面に設けられているが、放射線入射されない位置であればよく、放射線撮影装置１０１の放射線が入射される面と対向する面（背面）に配置してもよい。また、操作部６、電源入力部１１、報知部１２は、放射線が入射される面であって、放射線検出部２０が放射線を検出可能な領域外に配置されていてもよい。さらに、操作部６、電源入力部１１、報知部１２の各々は、放射線撮影装置１０１の同一面に配置されているが、この限りではなくそれぞれを別の面に配置してもよい。少なくとも、操作部６、電源入力部１１、報知部１２の各々は、読出回路１６および駆動回路１７とは異なる側面に配置されている。
【００５３】
図４を用いて、第一の実施形態における報知部１２の形態について説明する。図４（ａ）、（ｂ）、（ｃ）の各図は、第一の実施形態におけるカウンタ３１および報知部１２の一例を示す図である。
【００５４】
図４（ａ）は、カウンタ３１が、記憶部１５が記憶する放射線画像（未転送画像）の数を表示する機能を有する一例を示す。
【００５５】
報知部１２は、ＬＥＤの点灯、点滅、消灯でも未転送画像の有無を報知することができる。また、報知部１２は、ディスプレイなどを用いて、文字情報により放射線画像の有無を報知してもよい。例えば、報知部１２は、未転送画像が記憶部１５にある場合は「未転送画像あり」、未転送画像がない場合は「未転送画像なし」など表示する文字列などによって識別可能に報知することができる。
【００５６】
図４（ｂ）は、カウンタ３１が放射線撮影装置１０１における放射線の入射面側に配置されている例を示す。この場合に、カウンタ３１は、放射線が入射される放射線の検出領域４０以外の箇所に設けられている例を示す。側面にカウンタ３１が配置されている場合と比較して、ユーザの視認性が高まる。
【００５７】
図４（ｃ）は、報知部１２が、スピーカ３２である場合を示す図である。スピーカ３２は、記憶部１５に記憶された未転送画像の有無を音によって報知する機能を持つ。例えば、記憶部１５に未転送画像がある場合には音を出力し、未転送画像がない場合には音を出力しないようにする。また、報知部１２は、未転送画像の有無によって、音の周波数を変化させるか、あるいは、出力する音を変更するものであってもよい。つまり、スピーカ３２は、音の有無だけでなく、音の大きさ、高さ、リズムを変えることで未転送画像の報知を行ってもよい。この場合、スピーカ３２の音の大きさ、高さ、リズムは、設定を変更することで実現できる。当該設定は、放射線撮影装置１０１の操作部６或いは情報処理装置１０２の操作部からの入力によって変更可能である。このため、スピーカ３２は、放射線撮影装置１０１および情報処理装置１０２が使用される場所、あるいは撮影手技（一般撮影、回診放射線撮影）によらず、適切に設定がされ、且つユーザが適切に認識できるように調整される。さらに、放射線撮影装置１０１は、未転送画像の有無以外の場面でも音を発する場合がある。当該場面とは、例えば、バッテリの残量が所定値以下になった場合、撮影モードが変更された場合等を含む。具体的には、スピーカ３２は、未転送画像の有無の場合とこれらの場面とを、音の大きさ、高さ、リズムを変更すること、或いは音同士の間隔を変更して報知する。このように、スピーカ３２は、これらの場面ごとに、識別が可能な音を発するように制御される。
【００５８】
また、図４（ｂ）と同様に、スピーカ３２は、放射線撮影装置１０１の側面に設けられているが、放射線入射方向以外の面であればよい。報知部１２は、スピーカ３２などの報知部を複数含んでいてもよい。報知部１２をスピーカ３２とすることで、ユーザが視認しづらい場合であっても、未転送画像の有無を認識することが可能となる。さらに、カウンタ３１、スピーカ３２など複数の報知部１２を組み合わせることで、ユーザが未転送画像の有無を認識する可能性が高まる。
【００５９】
ここで、報知部が、未転送画像の有無に応じて、報知の方法を変更する例について開示したがこの限りではない。例えば、報知部１２は、上限枚数との関係でさらに報知の方法を変更してもよい。例えば、報知部１２は、記憶部１５の枚数の上限が１００枚である場合に、１枚以上５０枚以下、あるいはそれ以上で報知のさせかたを変えてもよい。
【００６０】
次に、放射線撮影システム１００を、撮影モードに応じて複数の報知を組み合わせる場合の構成例を示す。
【００６１】
放射線撮影装置１０１が、第一の撮影モードと第二の撮影モードの場合には、情報処理装置１０２との通信が可能である。そのため、制御部１３は、表示部１１０によって未転送画像の有無を報知させるとともに、放射線撮影装置１０１に備えられたカウンタ３１によって、記憶部１５に記憶された未転送画像の数を表示させることが望ましい。また、制御部１３による情報処理装置１０２への報知は、表示部１１０に対してＧＵＩのポップアップやアイコンなどで報知することが可能である。このように、制御部１３は、情報処理装置１０２に未転送画像の有無を報知させることで、第一の撮影モードや第二の撮影モードで撮影を行う前に未転送画像の有無をユーザに認識させることが可能となる。
【００６２】
放射線撮影装置１０１が、第三の撮影モードでは、情報処理装置１０２との通信は行わずに放射線撮影装置１０１が放射線画像を撮影する。そのため、制御部１３は、カウンタ３１に記憶部１５に記憶された未転送画像の数を表示させ、且つ、放射線撮影装置１０１に備えられたスピーカ３２の音によって、記憶部１５に記憶された未転送画像の有無を報知させることが望ましい。
【００６３】
上述したように、各撮影モードにおける望ましい構成について説明したが、報知部１２は、この構成に限らず実施することが可能である。複数の報知方法を合わせもつこと、例えば報知部１２を組み合わせることで、ユーザが未転送画像の有無を認識する可能性が高まる。また、放射線撮影装置１０１が、情報処理装置１０２と通信せずとも未転送画像の有無をユーザに認識させることができる。そのため、ユーザは、複数の放射線画像が混在し、複数の放射線画像の各々の判別が煩雑になることを抑制する。
【００６４】
次に、図５を用いて、放射線撮影装置１０１が、撮影準備動作に基づいて未転送画像の有無を報知するための一連の動作について説明する。図５は、第一の実施形態における放射線撮影装置の撮影準備動作と報知の関係を示すフローチャートである。
処理Ｓ１において、撮影準備動作検知部１４が、放射線撮影装置１０１に対して電源供給が開始されたことを検知する。当該検知をした場合に、撮影準備動作検知部１４の処理は、処理Ｓ４に移行する。
【００６５】
ここで、撮影準備動作検知部１４が、放射線撮影装置１０１に対する電源供給を検知しない場合には、処理Ｓ２に移行する。ここで、電源供給を検知しない場合とは、放射線撮影装置１０１とは異なる外部の電源から給電されていない場合を示し、例えば、充電装置１０９に放射線撮影装置１０１が接続されていない場合を示す。
【００６６】
処理Ｓ２において、撮影準備動作検知部１４が、放射線撮影装置１０１と情報処理装置１０２との通信を確立する動作を行ったか否かを検知する。当該検知をした場合に、撮影準備動作検知部１４の処理は、処理Ｓ４に移行する。当該検知しない場合、撮影準備動作検知部１４の処理は、処理Ｓ３に移行する。
【００６７】
処理Ｓ３において、撮影準備動作検知部１４が、放射線撮影装置１０１が撮影モードを変更（あるいは設定）する動作があったか否かを検知する。撮影準備動作検知部１４が、撮影モードの切り替え操作を検知しなければＳ３を行う。
【００６８】
処理Ｓ４は、撮影準備動作検知部１４が、Ｓ１からＳ３に示す撮影準備動作を検知した場合における制御部１３の処理である。  制御部１３は、撮影準備動作検知部１４が、撮影準備動作を検知した場合に、当該検知を示す検知信号を取得する。制御部１３は、当該検知信号および記憶部１５に放射線画像が記憶されているか否かの情報に基づいて、報知部１２に対して報知を行うように制御する。一例として、制御部１３は、記憶部１５に記憶された未転送画像があるか否かを判定してもよいし、当該撮影準備動作検知部１４による検知よりも前に未転送画像の有無を示す情報を取得しておいてもよい。
【００６９】
制御部１３は、記憶部１５に放射線画像が記憶されている場合には、（未転送画像がない場合には）、報知部１２の制御は行わず、処理Ｓ６に移行する。なお、制御部１３は、未転送画像の有無に基づいて、報知部１３の制御方法を変更した後に、処理Ｓ６を行ってもよい。ここで、制御方法の変更とは、音の出し方、表示のさせ方等を変更することを示す。  この場合、制御部１３は、情報処理装置１０２に未転送画像の有無の情報を転送してもよい。
【００７０】
処理Ｓ５において、制御部１３は、報知部１２に対して報知を行うように制御する。
【００７１】
処理Ｓ６において、放射線撮影装置１０１は、撮影を実施する。
【００７２】
以上、本実施形態の放射線撮影装置は、被写体を透過した放射線を検出する放射線検出器と、検出した放射線に基づく放射線画像を記憶する記憶部を有している。そして、放射線撮影装置は、放射線画像が情報処理装置に転送された放射線画像か否かを識別可能に記憶している。このため、記憶部内で未転送画像とその他の画像を容易に識別可能となる。そして、撮影の準備動作が行われる場合に、制御部（報知制御部）は、記憶部に放射線画像が記憶されている場合には、報知部に対して報知制御を行うよう制御する。当該制御により、情報処理装置へ転送していない撮影画像がある場合に、ユーザが画像転送を忘れてしまうことを抑制するために有利な技術を提供し得る。そして、過去の撮影による放射線画像と新たな撮影による放射線画像が混在することを抑制し得る。さらに、記憶部内に保存された過去の撮影による放射線画像が新たな撮影による放射線画像によって上書きされてしまうことを抑制しえる。
【００７３】
（第二の実施形態）
図６を用いて、第二の実施形態における放射線撮影システム６００について説明する。第二の実施形態は、第一の実施形態とは異なり、情報処理装置１０２が、撮影の準備動作を検知し、報知する場合について説明する。その他、第一の実施形態と同様の箇所については説明を省略する。
【００７４】
放射線撮影システム６００は、放射線撮影装置１０１および情報処理装置６０２を少なくとも有する。情報処理装置６０２は、制御部６１３と、準備動作検知部６１４を少なくとも有している。
【００７５】
制御部６１３は、放射線画像の撮影後に、放射線撮影装置１０１が撮影の準備動作を行う場合に記憶部１５に放射線画像が記憶されている場合には、情報処理装置６０２が有する報知部に報知させるように制御する。本実施形態では、報知部は、情報処理装置６０２が有する表示部６１０であり、ディスプレイ等であり得る。なお、制御部６１３は、報知を制御する報知制御部として機能する。
【００７６】
撮影準備動作検知部６１４は、撮影準備動作を検知し得る。撮影準備動作検知部６１４は、電源供給があったか否かを、充電装置１０８に放射線撮影装置１０１が接続されたか否か、あるいは充電が開始されたか否かの情報に基づいて検知し得る。この場合、撮影準備動作検知部６１４は、当該情報を、ＨＵＢ１０４を経由して取得することができる。なお、放射線撮影装置１０１と情報処理装置６０２との無線通信が確立されている場合には、撮影準備動作検知部６１４は、当該情報をアクセスポイント１０３を介して無線通信で取得する。第一の実施形態と同様に、撮影準備動作検知部６１４は、放射線撮影装置１０１と情報処理装置６０２の間で通信を確立するための動作も検知し得る。
【００７７】
制御部６１３は、撮影準備動作検知部が検知した場合、記憶部１５に未転送画像が記憶されている場合には表示部６１０を制御する。制御部６１３は、報知部にＧＵＩ上のポップアップやアイコンなどで報知し、識別可能に表示するように制御し得る。
【００７８】
なお、制御部６１３は、第三の撮影モードで撮影し記憶部１５に記憶された未転送画像の有無のみ報知し、第一及び第二の撮影モードで撮影された未転送画像の有無は報知しないように制御してもよい。このように制御することで、第一の撮影モード及び第二の撮影モード間で撮影モードを変更しつつ、第三の撮影モードに設定をしない場合に、確認する処理およびユーザの手間を省くことができるため、効率よく撮影を行うことができる。さらに、制御部６１３は、未転送画像の有無を報知する場合に、情報処理装置６０２へ画像の転送を行う否かを選択させる表示、あるいは警告のみを促す表示を報知してもよい。
【００７９】
このように、本実施形態では、情報処理装置６０２が撮影準備動作検知部６１４により、撮影準備動作を検知し、記憶部１５に記憶された未転送画像の有無を報知し得る。ユーザが、放射線撮影装置１０１に設けられた報知部１２を直接確認できない状況下であっても、情報処理装置６０２で報知することによって、未転送画像の有無を認識することができる。
【００８０】
なお、各実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も実施例として適用することができる。また、上記のプログラムも実施形態として適用することができる。上記のプログラム、記録媒体、伝送媒体およびプログラムプロダクトは、本発明の範疇に含まれる。
【００８１】
以上、実施形態に基づいて詳述してきたが、これらの特定の実施形態に限られるものではなく、発明の要旨を逸脱しない範囲の様々な形態も本発明の範疇に含まれる。さらに、上述した実施形態は一実施の形態を示すものにすぎず、上述した実施形態から容易に想像可能な発明も本発明の範疇に含まれる。
【符号の説明】
【００８２】
１２  報知部
１３  制御部
１４  撮影準備動作検知部
１５  記憶部
１００  放射線撮影システム
１０１  放射線撮影装置
【図１】
0006704717.tif 000002
【図２】
0006704717.tif 000003
【図３】
0006704717.tif 000004
【図４】
0006704717.tif 000005
【図５】
0006704717.tif 000006
【図６】
0006704717.tif 000007